【手続補正書】
【提出日】平成28年4月11日(2016.4.11)
【手続補正１】
【補正対象書類名】特許請求の範囲
【補正対象項目名】全文
【補正方法】変更
【補正の内容】
【特許請求の範囲】
【請求項１】
二次元に配列された複数の画素を有する撮像手段と、
前記撮像手段から出力された画素信号に所定の信号処理を施す信号処理手段と、
前記撮像手段または前記信号処理手段から出力された画素信号を外部に出力する出力手段と、を備え、
第１の処理モードにおいて、前記信号処理手段が前記撮像手段から出力された画素信号に前記所定の信号処理を施さず、
第２の処理モードにおいて、前記信号処理手段が前記撮像手段から出力された画素信号の少なくとも一部に前記所定の信号処理を施すことを特徴とする撮像素子。
【請求項２】
前記信号処理手段および前記出力手段は、同一半導体チップ上に形成されていることを特徴とする請求項１に記載の撮像素子。
【請求項３】
前記撮像手段および前記信号処理手段は、同一半導体チップ上に形成されていることを特徴とする請求項１に記載の撮像素子。
【請求項４】
前記撮像手段および前記出力手段は、同一半導体チップ上に形成されていることを特徴とする請求項１に記載の撮像素子。
【請求項５】
前記撮像手段、前記信号処理手段、および前記出力手段は、同一半導体チップ上に形成されていることを特徴とする請求項１に記載の撮像素子。
【請求項６】
前記所定の信号処理は、前記画素信号の少なくとも一部のデータ量を削減するための処理を含むことを特徴とする請求項１乃至５のいずれか１項に記載の撮像素子。
【請求項７】
前記所定の信号処理は、ＹＵＶフォーマットへの変換処理を含むことを特徴とする請求項１乃至５のいずれか１項に記載の撮像素子。
【請求項８】
前記画素の配列は、それぞれが複数の行からなる第１の配列と第２の配列を含み、前記撮像手段から読み出された画素信号の前記少なくとも一部は、前記第１の配列の画素から読み出された第１の画素信号であることを特徴とする請求項１乃至７のいずれか１項に記載の撮像素子。
【請求項９】
前記第２の処理モードにおいて、前記信号処理手段が前記第１の画素信号に前記所定の信号処理を施し、前記第２の配列の画素から読み出された第２の画素信号には前記所定の信号処理を施さず、
第３の処理モードにおいて、前記信号処理手段が前記第１および第２の画素信号に前記信号処理を施すことを特徴とする請求項８に記載の撮像素子。
【請求項１０】
前記第２の処理モードにおいて、前記出力手段が前記第１および第２の画素信号をシリアル通信で出力し、
前記第３の処理モードにおいて、前記出力手段が前記第１および第２の画素信号をパラレル通信で出力することを特徴とする請求項９に記載の撮像素子。
【請求項１１】
前記第２又は第３の処理モードにおけるフレームレートは、前記第１の処理モードのフレームレートよりも高いことを特徴とする請求項９または１０に記載の撮像素子。 
【請求項１２】
二次元に配列された複数の画素を有する撮像手段と、前記撮像手段から出力された画素信号に第１の信号処理を行う第１の信号処理手段と、前記撮像手段または前記第１の信号処理手段から出力された画素信号を外部に出力する出力手段と、を備えた撮像素子と、
前記撮像素子から出力された画素信号に第２の信号処理を行う第２の信号処理手段と、
前記撮像素子および前記第２の信号処理手段を制御する制御手段と、を有し、
前記制御手段は、第１の処理モードにおいて、前記第１の信号処理手段が前記撮像手段から読み出された画素信号に前記第１の信号処理を施さずに、前記第２の信号処理手段が前記撮像素子から出力された画素信号に前記第２の信号処理を施し、第２の処理モードにおいて、前記第１の信号処理手段が前記撮像手段から読み出された画素信号の少なくとも一部に前記第１の信号処理を施すとともに、前記第２の信号処理手段が前記撮像素子から出力された画素信号に前記第２の信号処理を施すように制御することを特徴とする撮像装置。
【請求項１３】
前記第１の信号処理は、前記画素信号の少なくとも一部のデータ量を削減するための処理を含み、前記第２の信号処理は、前記画素信号から画像データを生成する処理を含むことを特徴とする請求項１２に記載の撮像装置。
【請求項１４】
前記画素の配列は、それぞれが複数の行からなる第１の配列と第２の配列を含み、前記撮像手段から読み出された画素信号の前記少なくとも一部は、前記第１の配列の画素から読み出された第１の画素信号であることを特徴とする請求項１３に記載の撮像装置。
【請求項１５】
前記第２の信号処理手段は、前記第１の画素信号から前記画像データを生成し、前記第２の配列の画素から読み出された第２の画素信号から、前記画像データを生成するための画像処理パラメータを生成することを特徴とする請求項１４に記載の撮像装置。
【請求項１６】
前記第２の処理モードにおいて、前記第１の信号処理手段が前記第１の画素信号に前記第１の信号処理を施し、前記第２の配列の画素から読み出された第２の画素信号には前記第１の信号処理を施さず、
第３の処理モードにおいて、前記第１の信号処理手段が前記第１および第２の画素信号に前記第１の信号処理を施すことを特徴とする請求項１５に記載の撮像装置。
【請求項１７】
前記第２の処理モードにおいて、前記出力手段が前記第１および第２の画素信号をシリアル通信で出力し、
前記第３の処理モードにおいて、前記出力手段が前記第１および第２の画素信号をパラレル通信で出力することを特徴とする請求項１６に記載の撮像装置。
【請求項１８】
動画撮影モードと静止画撮影モードのいずれかを設定する設定手段を有し、
前記制御手段は、前記設定手段により設定された撮影モードに応じて、前記第１の処理モード、前記第２の処理モード、および前記第３の処理モードのいずれかを設定するように制御することを特徴とする請求項１６または１７に記載の撮像装置。
【請求項１９】
二次元に配列された複数の画素を有する撮像手段と、前記撮像手段から出力された画素信号に所定の信号処理を施す信号処理手段と、前記撮像手段または前記信号処理手段から出力された画素信号を外部に出力する出力手段と、を備えた撮像素子の制御方法であって、
第１の処理モードにおいて、前記信号処理手段が前記撮像手段から出力された画素信号に前記所定の信号処理を施さずに前記出力手段が出力し、第２の処理モードにおいて、前記信号処理手段が前記撮像手段から出力された画素信号の少なくとも一部に前記所定の信号処理を施してから前記出力手段が出力するよう動作させる工程を備えることを特徴とする制御方法。
【請求項２０】
請求項１９に記載の制御方法をコンピュータに実行させるためのプログラム。
【請求項２１】
請求項１９に記載の制御方法をコンピュータに実行させるためのプログラムを記憶したコンピュータが読み取り可能な記憶媒体。
【手続補正２】
【補正対象書類名】明細書
【補正対象項目名】０００６
【補正方法】変更
【補正の内容】
【０００６】
実施形態の一観点によれば、二次元に配列された複数の画素を有する撮像手段と、前記撮像手段から出力された画素信号に所定の信号処理を施す信号処理手段と、前記撮像手段または前記信号処理手段から出力された画素信号を外部に出力する出力手段と、を備え、第１の処理モードにおいて、前記信号処理手段が前記撮像手段から出力された画素信号に前記所定の信号処理を施さず、第２の処理モードにおいて、前記信号処理手段が前記撮像手段から出力された画素信号の少なくとも一部に前記所定の信号処理を施すことを特徴とする撮像素子が提供される。
【手続補正３】
【補正対象書類名】明細書
【補正対象項目名】０００７
【補正方法】変更
【補正の内容】
【０００７】
実施形態の他の観点によれば、二次元に配列された複数の画素を有する撮像手段と、前記撮像手段から出力された画素信号に第１の信号処理を行う第１の信号処理手段と、前記撮像手段または前記信号処理手段から出力された画素信号を外部に出力する出力手段と、を備えた撮像素子と、前記撮像素子から出力された画素信号に第２の信号処理を行う第２の信号処理手段と、前記撮像素子および前記第２の信号処理手段を制御する制御手段と、を有し、前記制御手段は、第１の処理モードにおいて、前記第１の信号処理手段が前記撮像手段から読み出された画素信号に前記第１の信号処理を施さずに、前記第２の信号処理手段が前記撮像素子から出力された画素信号に前記第２の信号処理を施し、第２の処理モードにおいて、前記第１の信号処理手段が前記撮像手段から読み出された画素信号の少なくとも一部に前記第１の信号処理を施すとともに、前記第２の信号処理手段が前記撮像素子から出力された画素信号に前記第２の信号処理を施すように制御することを特徴とする撮像装置が提供される。